(57)【要約】【課題】本発明は、複数の情報を容易に確認可能なデジタルカメラを提供することを目的とする。【構成】第１表示用画像データと第２表示用画像データを作成する画像処理部２２と、表示面に対して第１の方向から観察した場合に第１画面用画像が、該第１の方向とは異なる第２の方向からから観察した場合に第２画面用画像がそれぞれ観察可能な表示部２４と、前記第１表示用画像データを前記第１画面用画像として表示部２４に表示させ、前記第２表示用画像データを前記第２画面用画像として表示部２４に表示させる制御部２０とを具備する。【選択図】図２
2007295547.tif 000002
【特許請求の範囲】
【請求項１】
第１表示用画像データと第２表示用画像データを作成する画像処理部と、
表示面に対して第１の方向から観察した場合に第１画面用画像が、該第１の方向とは異なる第２の方向からから観察した場合に第２画面用画像がそれぞれ観察可能な表示装置と、
前記第１表示用画像データを前記第１画面用画像として前記表示装置に表示させ、さらに前記第２表示用画像データを前記第２画面用画像として前記表示装置に表示させる制御部とを具備することを特徴とするデジタルカメラ。
【請求項２】
請求項１に記載のデジタルカメラはさらに、
被写体像を撮像し被写体画像信号を出力する撮像部を有し、
前記画像処理部は、前記被写体画像信号を基に第１表示用画像データを作成し、
前記表示制御部は前記表示用画像データを連続して作成させ、連続して作成された該第１表示用画像データを前記第１画面用画像として前記表示部に動画像として表示させることを特徴とするデジタルカメラ。
【請求項３】
請求項２に記載のデジタルカメラにおいて、
前記画像処理部は、前記第１表示用画像データに所定情報を重畳させた第２表示用画像データを作成し、
前記制御部は、前記第２表示用画像データを連続して作成させ、連続して作成された該第２表示用画像データを前記第２画面用画像として前記表示部に動画像として表示させることを特徴とするデジタルカメラ。
【請求項４】
請求項２に記載のデジタルカメラはさらに、
画像データを一次記憶する記憶部を有し、
前記画像処理部は、前記記憶部に記憶された前記画像データより前記第２表示用画像データを作成し、
前記制御部は前記第２表示用画像データを前記第２画面用画像として前記表示部に静止画像として表示させることを特徴とするデジタルカメラ。
【請求項５】
請求項１に記載のデジタルカメラはさらに、
前記表示部に複数のメニュー項目を表示するための第１メニュー画面用情報および第２メニュー画面用情報とが記憶された記録媒体を有し、
前記画像処理部は、前記第１メニュー画面情報より前記第１表示用画像データを作成し、
前記第２メニュー画面情報より前記第２表示用画像データを作成することを特徴とするデジタルカメラ。
【請求項６】
請求項１に記載のデジタルカメラはさらに、
被写体像を撮像し被写体画像信号を出力する撮像部と、
前記被写体画像信号より画像データを作成する画像処理部と、
画像データを一次的に記憶する記憶部とを有し、
前記画像処理部は、前記記憶部に記録された前記画像データを基に第１表示用画像データを作成し、該画像データに付随する画像情報を基に該画像情報を示す第２表示用画像データを作成することを特徴とするデジタルカメラ。
【請求項７】
請求項１に記載のデジタルカメラはさらに、
画像データを一次的に記憶する記憶部を有し、
前記画像処理部は、前記記憶部に記憶されている画像データを基に前記第１表示用画像データを作成し、該画像データを基に該第１表示用画像データとは異なる第２表示用画像データを作成することを特徴とするデジタルカメラ。
【請求項８】
請求項７に記載のデジタルカメラにおいて、
前記画像処理部は、前記記憶部に記憶されている画像データを基に前記第１表示用画像データを作成し、該画像データの一部の領域をトリミングしたトリミング画像データを作成し、該トリミング画像データを基に前記第２表示用画像を作成することを特徴とするデジタルカメラ。
【請求項９】
請求項１に記載のデジタルカメラはさらに、
被写体像を撮像し被写体画像信号を出力する撮像部と、
画像データを一次記憶する記憶部と、とを有し、
前記画像処理部は、第１のカメラ設定により撮像され前記撮像部より出力された画像信号を基に第１表示用画像データを作成すると共に該表示用画像データを前記記憶部にし、第１のカメラ設定とは異なる第２のカメラ設定により撮像され前記撮像部より出力された画像信号を基に前記第２表示用画像データを作成すると共に該第２表示用画像データを前記記憶部に記憶し、
前記制御部は、前記記憶部に記憶されている前記第１表示用画像データを前記第１表示用画像として前記表示装置に表示させ、さらに前記記憶部に記憶されている前記第２表示用画像データを前記第２表示用画像として前記表示装置に表示させることを特徴とするデジタルカメラ。
【発明の詳細な説明】
【技術分野】
【０００１】
デジタルカメラに関する。
【背景技術】
【０００２】
従来デジタル一眼レフカメラにおいて、撮像した画像等を表示する背面表示部材と、シャッター速度や絞り値等のカメラの設定情報を表示するための上面表示部材との複数の表示部材を有するものがある。しかし、表示部材を複数設けるとカメラの小型化やコスト削減を実現するのは難しい。そのため、動画像とカメラ情報を重畳させて一つの表示部に表示するものがある（例えば特許文献１）。
【特許文献１】特開２００４-２５４３０２号公報
【発明の開示】
【発明が解決しようとする課題】
【０００３】
しかし、上述した特許文献１では、複数の情報を確認可能となるが、動画像表示とカメラ情報とが重畳されるため、それぞれの情報事態が確認しづらくなってしまう。
【０００４】
本発明は、複数の情報を容易に確認可能なデジタルカメラを提供することを目的とする。
【課題を解決するための手段】
【０００５】
本発明を適用したデジタルカメラは、第１表示用画像データと第２表示用画像データを作成する画像処理部と、表示面に対して第１の方向から観察した場合に第１画面用画像が、該第１の方向とは異なる第２の方向からから観察した場合に第２画面用画像がそれぞれ観察可能な表示装置と、前記第１表示用画像データを前記第１画面用画像として前記表示装置に表示させ、さらに前記第２表示用画像データを前記第２画面用画像として前記表示部に表示させる制御部とを具備する。
【発明の効果】
【０００６】
本発明におけるデジタルカメラは、複数の情報を容易に確認可能となる。
【発明を実施するための最良の形態】
【０００７】
本発明を適用した一実施の形態におけるデジタルカメラ１について説明する。
【０００８】
＜デジタルカメラ１＞
図１に、デジタルカメラ１を背面側から見た場合の外観図を示す。ここで、デジタルカメラ１は、例えばレンズ鏡筒とカメラ本体が一体化したコンパクトカメラである。
【０００９】
本実施の形態におけるデジタルカメラ１は直方形状である。デジタルカメラ１の上面１aにはレリーズ釦１０が、背面１ｂにはズーム釦１１、再生釦１２、メニュー釦１３、十字キー１４、背面モニタ１５およびファンクション釦１６等が配置されている。なおデジタルカメラ１の正面１ｃには、撮像光学系３２（図２参照）に含まれるレンズが設けられる。
【００１０】
レリーズ釦１０は、半押することによりONされる半押スイッチと、全押することによりONされる全押スイッチとから構成される２段スイッチである。ズーム釦１１は撮像光学系３２のズーム倍率を変更するためのスイッチである。再生釦１２は撮像済みの画像データを背面モニタ１５に表示する再生モードへ切り替えるためのスイッチである。メニュー釦１３は、背面モニタ１５にメニューを表示させ、ユーザーがデジタルカメラ１の動作設定等を設定おこなうメニューモードへ切り替えるためのスイッチである。十字キー１４は、上下左右の４方向にそれぞれ接点を有する周知の十字キーである。また十字キー１４の中央には決定釦１４aが配置されている。ファンクション釦１６は、デジタルカメラ１の種々の動作指示を行うためにユーザによって操作されるスイッチである。
【００１１】
背面モニタ１５は、撮影時に被写体の動画像、いわゆるスルー画像を表示したり、記録済み画像やメニュー画面等を表示する液晶表示装置である。本実施の形態における背面モニタ１５は、２行の表示画素列に対応する細長いマイクロプリズムを表示領域全体にわたって平行に配置してなるマイクロプリズムアレイが配置されている。これによりデジタルカメラ１は、ユーザが背面モニタ１５を上方（矢印A方向）から見る場合と、下方（矢印B方向）から見る場合とでそれぞれ異なる情報を確認することができるように構成されている。以下、上方（矢印A方向）から見た場合に観察可能となる表示画面を画面A、下方（矢印B）方向から見た場合に観察可能となる表示画面を画面Bとする。
【００１２】
＜デジタルカメラ１のブロック図＞
以下、本実施の形態におけるデジタルカメラ１の構成部材および基本的な処理についてブロック図を基に説明する。デジタルカメラ１のブロック図を図２に示す。
【００１３】
＜制御部＞
制御部２０は、ＣＰＵ等を含み、デジタルカメラ１の全体の制御を行う。制御部２０は、撮像素子２１、画像処理部２２、モニタ制御部２３、表示部２４、RAM２５、ROM２６、EEPROM２７、外部メモリ２８、内部メモリ２９、操作部３０、姿勢センサ３１、およびレンズ制御部３３等と接続され、各部材を制御する。
【００１４】
＜撮像及び画像処理＞
撮像光学系３２は、撮像素子２１に被写体像を結像するための複数のレンズで構成される光学系である。また、撮像光学系３２は、焦点距離を変更するためのズーム光学系を含む。レンズ制御部３３は、制御部２０からの制御信号に応じて焦点距離を変更するようにズーム光学系を駆動する。
【００１５】
撮像素子２１は、撮像光学系３２により結像した被写体像を電気信号に変換するＣＣＤやＣＭＯＳ等の固体撮像素子である。撮像素子２１は、画像信号の読み出し等の制御や、電子シャッターの制御駆動等を行うドライバ等も含む。撮像素子２１から読み出された画像信号は画像処理部２２に送られる。画像処理部２２は、画像信号に、ノイズ除去、Ａ／Ｄ変換、色補間処理、サイズ変更および符号化等の処理を必要に応じて行い、背面モニタ１５に表示する表示用画像データや、記録用画像データ等を作成する。該記録用画像データは撮像時の撮像情報と共に画像ファイルとして外部メモリ２８に記憶され、表示用画像データはモニタ制御部２３により表示部２４の背面モニタ１５に表示される。
【００１６】
ここで撮像情報とは、シャッター速度や絞り値、撮像日時等の撮像時の情報である。撮像情報は例えばEXIF情報としてファイルヘッダに含まれる。なお、画像ファイルを、ＥＥＰＲＯＭ２７や内部メモリ２９等に記憶するとしても良い。
【００１７】
なお、画像処理部２２は、外部メモリ２８、内部メモリ２９に記憶されている画像を読み出し、背面モニタ１５に表示するための表示用画像を作成することもできる。また、画像処理部２２は、外部メモリ２８に記録されている画像データに各種画像処理をを行うことができる。
【００１８】
ここで、画像処理は、画像データの色成分を変換する色変換処理（例えばカラー画像から白黒画像への変換や、彩度の調整処理等）、階調補正処理、輪郭強調処理、コントラスト調整処理、画像データの一部の領域をトリミングするトリミング処理、画像データの一部の領域をトリミングするトリミング処理、画像データの解像度を変換するリサイズ処理等の処理を含む。
【００１９】
＜記録処理＞
ＲＡＭ２５は、制御部２０及び画像処理部２２等が処理を行う際にデータの一時的な保存場所などに利用される。ＲＡＭ２５は、画像処理部２２で表示用画像を作成するためのオリジナル画像データを一時的に記憶するための記憶部である。ＲＯＭ２６は、デジタルカメラ１の作動に必要なプログラム、該プログラムに使用する初期値等が保存されている。また、ＲＯＭ２６には、後述するメニューモードにおいて表示する各種メニュー項目が記憶されている。ＥＥＰＲＯＭ２７は、デジタルカメラ１の電源がＯＦＦされても記録情報を保持するフラッシュメモリ等の書き換え可能なメモリである。ＥＥＰＲＯＭ２７には、デジタルカメラ１のユーザー設定やカスタム設定等の情報を記録する。外部メモリ２８は、画像ファイル等を保存するための着脱可能なメモリーカードである。内部メモリ２９は、ハードディスク等の大容量の磁気ディスクやDVD等の大容量の光ディスク、フラッシュメモリ等の画像ファイル等を記憶する記憶媒体である。
【００２０】
＜画像表示処理＞
モニタ制御部２３は、制御部２０の指令により送られた２画面分の画像データ、すなわち画面A用画像データおよび画面B用画像データ、の合成画像を作成し表示部２４の背面モニタ１５へ表示させる。表示部２４は背面モニタ１５およびドライバを含む。前記合成画像が表示された背面モニタ１５を上方（Ａ方向）から観察すると画面A用画像データが、下方（Ｂ方向）から観察すると画面B用画像データがそれぞれ同時に確認(観察)可能となる。
【００２１】
＜操作部＞
操作部３０は、レリーズ釦１０、ズーム釦１１、再生釦１２、メニュー釦１３、十字キー１４およびファンクション釦１６等を含む。
【００２２】
＜姿勢センサ＞
姿勢センサ３１は複数の加速度センサを有し、デジタルカメラ１の姿勢を３次元的に検出可能である。本実施の形態においては、姿勢センサ３１の検出結果に基づいて、背面モニタ１５の表示面が重力方向に対して略平行となる正位置と、背面モニタ１５の表示面が重力方向に対して傾斜する傾斜位置とを判定することが可能である。なお、姿勢検出するするセンサとしては、少なくとも２つの姿勢を検出可能であればどのようなものでも良い。
【００２３】
＜動作モード＞
本実施の形態におけるデジタルカメラ１は、動作モードとして、ユーザーが設定した撮像処理条件により撮像動作及び撮像画像の処理を行う撮影モード、背面モニタ１５に表示されたメニュー画面を見ながら各種機能の設定を行うメニューモード、背面モニタ１５に撮影済みの記録用画像データ等を表示させる画像表示モードを持つ。撮影モード、メニューモード、および画像表示モードのそれぞれにおけるデジタルカメラ１の動作制御については、周知の処理であるため詳細な説明を省く。
【００２４】
以下、各動作モードにおいて背面モニタ１５に画面Aおよび画面Bとして表示される表示画像ついて説明する。
【００２５】
＜撮影モード＞
本実施の形態におけるデジタルカメラ１は、撮影モードにおいて、上述の撮像素子２１により連続して撮像された画像信号を画像処理部２２により処理して表示用画像データ（以下スルー画像とする）を作成し、作成したスルー画像を背面モニタ１５に連続して表示する周知の動画像表示（以下スルー画像表示とする）が可能である。
【００２６】
撮影モードでは、表示モニタ１５を上方（矢印A方向）から見るとスルー画像のみが観察され、下方（矢印B方向）から見ると撮像設定値や撮影可能枚数等の情報などのカメラ情報とスルー画とが重畳した画面を観察できる。図１に示すデジタルカメラ１において、図３（a）に、上方（矢印A方向）から観察した場合の背面モニタ１５の画面Ａの表示例を示し、図３（b）に、下方（矢印B方向）から観察した場合の背面モニタ１５の画面Ｂの表示例を示す。
【００２７】
図３（a）に示したように、上方（矢印A方向）から背面モニタ１５を観察すると、被写体像を表示するスルー画像のみが観察できる。一方、図３（b）に示したように、下方（矢印B方向）から背面モニタ１５を観察すると、スルー画像に重畳されて、カメラ情報を観察することができる。カメラ情報として、図３（b）においては、デジタルカメラ１の動作モードを示すカメラ動作モードマーク５０、撮像した際の画像データの記録先が内部メモリ２９であることを示す記録先表示マーク５１、撮像画像の記録解像度を示す解像度値５２、フラッシュモードを示すフラッシュアイコン５３、記録先に指定された記憶媒体への記憶可能枚数を示す残コマ値５４等を表示する例を示している。
【００２８】
図７のフローチャートを用いて、撮影モードにおける背面モニタ１５へのスルー画像表示の処理手順を説明する。
【００２９】
デジタルカメラ１の動作モードが撮影モードに設定されると、図７に示すスルー画像処理が開始する。ステップS１０１で、撮像素子２１は被写体像を撮像して画像信号を出力する。ステップS１０２で、画像処理部２２は撮像素子２１から出力された画像信号に画像処理を施し、画面A用画像データ（スルー画像）を作成する。画面Ａ用画像データは、RAM２５の画面A用領域に記憶される、ステップS１０３ではカメラ情報を取得する。なおステップS１０３で取得するカメラ情報とは、動作モード、画像記録先設定、記録解像度設定値、フラッシュモード、記録可能枚数等の情報である。
【００３０】
次にステップS１０４で、画像処理部２２は、RAM２５の画面A用領域から画面A用画像データ（スルー画像データ）を読み出し、該画面A用画像データにステップS１０３で取得したカメラ情報を重畳させた画面B用画像データ（カメラ情報が重畳されたスルー画像データ）を作成する。作成された画面B用画像データはRAM２５の画面B用領域に記憶される。なお、スルー画像に重畳させるカメラ情報として、ステップS１０１で被写体像を撮像した際の撮像情報ではなく、記録用画像データを作成するためにレリーズ釦１０を全押し操作した際に撮像処理に用いられるシャッター速度設定値および絞り設定値等のカメラの撮像に関する設定値や、ホワイトバランス設定値等の画像処理に関する設定値等を用いてもよい。
【００３１】
ステップS１０５で、画像処理部２２は、RAM２５の画面A用領域および画面B用領域より画面A用画像データと画面B用画像データをそれぞれ読み出し、画面A用画像データと画面B用画像データとを合成した合成画像データを作成する。作成された合成画像データはRAM２５の表示画像領域に記憶される。ステップS１０６では、モニタ制御部２３は、RAM２５の表示画像領域に記憶されている合成画像データを読み出し、背面モニタ１５に表示させる。これにより、背面モニタ１５には、画面A用画像データによる画面Ａの画像と画面B用画像データによる画面Ｂの画像とが同時に表示される。ユーザは、背面モニタ１５を上方(矢印Ａ方向)から見ると画面Ａを観察することができ、下方(矢印Ｂ方向)から見ると画面Ｂを観察することができる。
【００３２】
ステップS１０７ではスルー画像停止処理が行われたか否かを判定し、スルー画像停止処理が行われた場合は、図７に示すスルー画像処理を終了する。一方、スルー画像停止処理が行われていない場合はステップS１０１へ戻り、スルー画像処理を続ける。スルー画像停止処理は、例えばデジタルカメラ１のレリーズ釦１０が全押操作されることにより記録用画像の撮像処理が開始された時、電源がOFFする処理が行われた時、および撮影モードから他の動作モードへ変更された時に実行される。
【００３３】
以上説明したように、ユーザーは、背面モニタ１５を上方から観察することによりスルー画のみを確認することができ、撮影構図等を考察することができる。さらに、デジタルカメラ１を傾ける、もしくは、視点をずらして背面モニタ１５を下方から観察することにより瞬時に、スルー画に加えてカメラ情報も確認可能となる。
【００３４】
なお、撮影モードの際に、画面Aにスルー画を表示し、画面Bに撮像済み画像（図４（a）参照）を表示するとしても良い。例えば画面Aには図３（b）に示すようなカメラ情報を重畳したスルー画を表示する。画面Bには、撮像素子２１で撮像されたばかりの最新の撮像済みの画像データ、もしくは、外部メモリ２８または内部メモリ２９に記録された最新の撮像済みの画像データを表示する。なお、撮像素子２１で撮像された画像データ、および外部メモリ２８または内部メモリ２９に記録された撮像済みの画像データともに、画面Ｂ用画像データを作成するために、一時的にＲＡＭ２５に記憶される。これにより、ユーザーは撮像画像を確認するために動作モードを再生モードに変更することなく、直前に撮像し記録した画像を瞬時に確認することができる。さらに、ユーザーは直前に撮像し記録した画像を確認しながら撮影条件（アングル、被写体の向き、焦点距離等）を設定し撮像できるため、撮影を効率的に行える。
【００３５】
また、撮影モードの際に、画面Aにスルー画を表示し、画面Bにカメラの設定及び状態を示す情報を表示するとしても良い。例えば画面Aには図３（a）に示すスルー画を表示し、画面Bにはデジタルカメラ１の撮像設定情報（記録解像度、画像圧縮率、ISO、ホワイトバランス設定、シャッター速度、絞り値等）やスルー画像表示中の画像のヒストグラム等を表示する。画面Ｂに表示するカメラ設定状態情報の一例を図４（ｃ）に示す。これにより、ユーザーはメニューやダイヤル等を操作することなく、カメラの撮像条件を必要に応じて瞬時に確認しながら撮像できるため、撮影を効率的に行える。また画面Aにはスルー画像のみ又はスルー画像に必要最小限の情報のみ重畳させて表示すれば良く、スルー画像表示が煩雑にならない。なお、画面Ｂには、カメラ設定状態情報のみを表示したり、カメラ設定状態情報をスルー画像に重畳して表示してもよい。
【００３６】
＜画像表示モード＞
本実施の形態におけるデジタルカメラ１は、画像表示モードにおいて、表示モニタ１５を上方（矢印A方向）から見ると撮像済み画像の１コマ表示のみを観察でき、下方（矢印B方向）から見ると複数コマ（例えば４コマ）の撮像済み画像を観察できる。
【００３７】
デジタルカメラ１を、上方（矢印A方向）から観察した場合の背面モニタ１５の画面Ａの表示例を図４（a）に、下方（矢印Ｂ方向）から観察した場合の背面モニタ１５の画面Ｂの表示例を図４（ｂ）に示す。図４（ｂ）に示すように４コマ表示においては、図４（a）に示す１コマ表示をするよう選択された画像データ（選択画像）に、選択枠１００が表示されている。
【００３８】
十字キー１４が上方向に押圧操作されると、画面Aには現在表示されている画像データ（選択画像）より１つ前に撮像された画像データが1コマ表示される。このとき、画面Bの４コマ表示画面では、現在選択されている画像データより１つ前に撮像された画像データ、すなわち画面Ａに１コマ表示される画像データに、選択枠１００が移動する。十字キー１４が下方向に押圧操作されると、画面Aには現在表示されている画像データ（選択画像）より１つ後に撮像された画像データが１コマ表示される。このとき、画面Bの４コマ表示画面では、現在選択されている画像データより１つ後に撮像された画像データ、すなわち画面Ａに１コマ表示される画像データに、選択枠１００が移動する。
【００３９】
図８のフローチャートを用いて、十字キー１４の操作により選択画像が変更され、背面モニタ１５に表示する画面Aおよび画面Bの表示画像を更新する際の、再生画面更新処理の処理手順を説明する。
【００４０】
画像表示モードにおいて十字キー１４が上また下方向に押圧操作されて選択画像が変更されると、図８に示す再生画面更新処理のサブルーチンが開始される。ステップS２０１で、画像処理部２２は、選択画像の画像データを外部メモリ２８又は内部メモリ２９より読み出す。ステップＳ２０２では、ステップＳ２０１で読み出した画像データより、背面モニタ１５に１コマ表示するための画面A用画像データを作成する。作成された画面A用画像データはRAM２５の画面A用領域に記憶される。
【００４１】
次にステップS２０３で、画像処理部２２は、外部メモリ２８又は内部メモリ２９より選択画像を含む４個の画像データを読み出して、これらの画像データを縮小して１画面に表示する４コマ表示画像を作成する。さらに、４コマ表示画像内の選択画像の回りに選択枠１００を重畳した画面B用画像データを作成する。作成された画面B用画像データはRAM２５に記憶される。
【００４２】
ステップS２０４で、画像処理部２２は、RAM２５より画面A用画像データおよび画面B用画像データ読み出し、画面A用画像データと画面B用画像データとを合成した合成画像データを作成する。作成された合成画像データはRAM２５の表示画像領域に記憶される。ステップS２０５で、モニタ制御部２３は、RAM２５の表示画像領域から合成画像データを読み出し、背面モニタ１５に表示させる。したがって、背面モニタ１５には、画面A用画像データによる画面Aの画像と画面B用画像データによる画面Bの画像とが同時に表示される。
【００４３】
ステップＳ２０６で、画面Ａ，Ｂの表示画像が、十字キー１４の操作に応じて更新されたと判定されると、図８に示す再生画面更新処理を終了する。一方、表示画像の更新が完了していない場合は、ステップＳ２０１へ戻る。
【００４４】
以上説明したように、ユーザーは、背面モニタ１５を上方(矢印Ａ方向)から観察することにより撮像済み画像を１コマ表示で確認することができる。さらに、デジタルカメラ１を傾ける、もしくは、視点をずらして下方（矢印Ｂ方向）から観察することにより、瞬時に複数コマ（例えば４コマ）の撮像済み画像を同時に確認可能となる。
【００４５】
＜メニューモード＞
本実施の形態におけるデジタルカメラ１は、メニューモード時に、表示モニタ１５を上方（矢印A方向）から見ると第１のメニューを観察でき、下方（矢印B方向）から見ると第２のメニューを観察することができる。
【００４６】
デジタルカメラ１を上方（矢印A方向）から観察した場合の背面モニタ１５の画面Ａの表示例を図５（a）に、下方（矢印B方向）から観察した場合の背面モニタ１５の画面Ｂの表示例を図５（ｂ）に示す。画面Ａ，Ｂに表示された第１および第２のメニューにおいて、選択されているメニュー項目には選択枠１００が表示されている。選択枠１００は十字キー１４を操作することにより移動できる。
【００４７】
図５（a），５Ｂに示す例では、メニューモードは６つのメニュー項目を有し、第１のメニューとして画面Ａに３つのメニュー項目（１．画像モード、２．ホワイトバランス、３．露出補正）が表示され、第２のメニューとして画面Ｂに３つのメニュー項目（４．連写、５．ＢＢＳ、６．カラー設定）が表示される。ユーザーは、十字キー１４を操作して選択枠１００を移動させることにより所望のメニュー項目を選択する。そして、十字キー１４の決定釦１４ａを押圧操作することにより、選択したメニュー項目の示すカメラ設定の変更処理を実行することができる。
【００４８】
デジタルカメラ１は、上述の姿勢検出センサ３１によりデジタルカメラ１が、背面モニタ１５の表示面が重力方向とほぼ平行となる正位置と、表示面が重力方向に対して傾いた状態にある傾斜位置とを検出できる。デジタルカメラ１が正位置にある状態の斜視図を図６（a）に、傾斜位置にある場合の斜視図６（ｂ）に示す。
【００４９】
デジタルカメラ１は、デジタルカメラ１が正位置にある場合は画面Aに表示された第１のメニューに、傾斜位置にある場合は画面Bに表示された第２のメニューに選択枠１００を表示する。
【００５０】
メニューモードにおいて、図６（a）に示すようにデジタルカメラ１が正位置にある際に、ユーザーCが矢印A方向から背面モニタ１５を見ると、ユーザーCは図５（a）に示す画面Ａに表示された第１のメニューを観察することができる。図５（a）の表示例では、メニュー項目のうち、（３.露出補正）が選択されて選択枠１００が付されている。このとき画面Bには、図５（ｂ）に示す第２のメニューが表示されている。
【００５１】
次にユーザーがデジタルカメラ１を傾け、傾斜位置にすると、図６（ｂ）に示すようにユーザーCは矢印B方向から背面モニタ１５を観察することになる。したがって、ユーザーCは、図５（ｄ）に示すような画面Bに表示された第２メニューを観察するようになる。デジタルカメラ１は姿勢センサ３１により正位置から傾斜位置への変更を検出すると、画面Aに表示していた選択枠１００を画面Bの第２メニューの１番上のメニュー項目（４.連写）に移動させる。このとき画面Aには図５（ｃ）に示す第１のメニューが表示される。
【００５２】
同様に、デジタルカメラ１を傾斜位置から正位置に変更すると、画面Ｂに表示されていた選択枠１００は、画面Ａに表示された第１メニューへ移動する。この場合、選択枠１００は第１メニューの１番下のメニュー項目（３.露出補正）に移動される。
【００５３】
図９のフローチャートを用いて、画面Ａ，Ｂに第１および第２のメニューを表示するメニュー処理の処理手順を説明する
ステップS３０１で、画像処理部２２は、EEPROM２７より第１メニュー画面情報を読み出し、該第１メニュー画面情報から画面A用画像データを作成する。さらにEEPROM２７より第２メニュー画面情報を読み出し、該第２メニュー画面情報から画面B用画像データを作成する。作成された画面A用画像データおよび画面A用画像データはRAM２５の画面A用領域および画面B用領域にそれぞれ記憶される。なお選択枠１００は第１メニューの１番目のメニュー項目に付されるよう設定される。
【００５４】
ステップS３０２では、画像処理部２２により、RAM２５から画面A用画像データおよび画面B用画像データを読み出し、画面A用画像データと画面B用画像データとを合成した合成画像データを作成する。作成された合成画像データはRAM２５の合成画像領域に記憶される。モニタ制御部２３は、合成画像データをRAM２５から読み出し、背面モニタ１５に表示する。これにより、背面モニタ１５には、画面A用画像データによる画面Aと画面B用画像データによる画面Bとが同時に表示される。
【００５５】
ステップS３０３〜S３０５では、デジタルカメラ１の姿勢が傾斜位置から正位置へ変更されたか、又は正位置から傾斜位置へ変更されたか、又は十字キー１４が上または下方向に操作されたかの判定が行われる。
【００５６】
ステップS３０３で、デジタルカメラ１の姿勢が傾斜位置から正位置へ変更されたと判定されると、ステップS３０６へ移る。ステップS３０６では選択枠１００が画面Aの第１メニューの一番下のメニュー項目に付されるよう設定され、ステップS３０９へ移る。
【００５７】
ステップS３０３が否定判定されると、ステップＳ３０４へ進む。ステップＳ３０４で、デジタルカメラ１の姿勢が正位置から傾斜位置へ変更されたと判定されると、ステップS３０７へ移る。ステップS３０７では選択枠１００が画面Bの第２メニューの一番上のメニュー項目に付されるよう設定され、ステップS３０９へ移る。
【００５８】
ステップＳ３０４が否定判定されると、ステップＳ３０５へ進む。ステップＳＳ３０５で、十字キー１４が上または下方向に操作されたと判定されると、ステップS３０８へ移る。ステップS３０８では、十字キー１４が上方向に操作された場合は、選択枠１００を現在選択しているメニュー項目の一つ上のメニュー項目に移動するよう設定する。十字キー１４が下方向に操作された場合は、選択枠１００を現在選択しているメニュー項目の一つ下のメニュー項目に移動するよう設定する。その後、ステップＳ３０９へ移る。
【００５９】
ステップＳ３０５が否定判定され、デジタルカメラ１の姿勢の変更および十字キー１４の上下方向の操作がない場合は、ステップS３１１へ移る。
【００６０】
ステップS３０９で、画像処理部２２は、EEPROM２７より第１メニュー画面情報を読み出し、該第１メニュー画面情報から画面A用画像データを作成する。さらにEEPROM２７より第２メニュー画面情報を読み出し、該第２メニュー画面情報から画面B用画像データを作成する。作成された画面A用画像データおよび画面A用画像データは、RAM２５の画面A用領域および画面B用領域にそれぞれ記憶される。なお、選択枠１００は、それぞれステップS３０６〜S３０８で設定されたメニュー項目を囲むように、画面A用画像データ、あるいは画面B用画像データに重畳される。
【００６１】
ステップS３１０では、画像処理部２２により、RAM２５から画面A用画像データおよび画面B用画像データを読み出し、画面A用画像データと画面B用画像データとを合成した合成画像データを作成する。作成された合成画像データはRAM２５の合成画像領域に記憶される。モニタ制御部２３は該合成画像データをRAM２５から読み出し、背面モニタ１５に表示する。これにより、背面モニタ１５には、画面A用画像データによる画面Aの画像と画面B用画像データによる画面Bの画像とが同時に表示される。
【００６２】
ステップS３１１では十字キー１４の決定釦１４ａが押圧操作されたか否かが判定される。十字キー１４の決定釦１４ａが押圧操作された場合はステップS３１２へ移り、十字キー１４の決定釦が押圧操作されていない場合はステップS３１３へ移る。ステップS３１２では、選択枠１００で選択されているメニュー項目の示す設定処理が行われる。ステップS３１３では動作モードがメニューモードから別の動作モードに変更されたか否かが判定される。メニューモードから別の動作モードに変更された場合はメニュー処理を終了し、メニューモードが継続して設定された場合は、ステップS３０３へ戻る。
【００６３】
以上説明したように、ユーザーは、背面モニタ１５を上方(矢印Ａ方向)から観察することにより第１メニューを確認できると共に、デジタルカメラ１を傾ける、もしくは、視点をずらして下方（矢印Ｂ方向）から観察することにより、瞬時に第２メニューも確認可能となる。
【００６４】
また、デジタルカメラ１が正位置であるか、傾斜位置であるかを検出することにより、選択枠１００が、画面Ａに表示された第１のメニューと、画面Ｂに表示された第２のメニューとの間で移動するため、すばやくメニュー項目を選択できる。
【００６５】
以上本発明を適用した一実施の形態におけるデジタルカメラ１について説明したが、本発明はこれに限るものではない。以下、本発明の実施の形態の変形例について説明する。
【００６６】
＜変形例１＞
メニューモードに含まれるメニュー項目数が多く、第１のメニューと第２のメニューに入りきらない場合、すなわち、メニュー項目が３ページ以上に及ぶ場合は、デジタルカメラ１の姿勢変化に応じて画面Ａ，Ｂに表示するメニュー画面のページを送るように構成してもよい。例えば、デジタルカメラ１を傾斜位置から正位置に戻した際に、画面Aおよび画面Bに表示するメニュー画面のページを送るとしても良い。
【００６７】
変形例１におけるデジタルカメラ１は、メニューモードにおいて画面Ａ，Ｂに合計６つのメニュー項目を表示できる。ここで、図５（a）、５（ｂ）に示すように第１のメニューがメニュー項目１〜３を含み、第２のメニューがメニュー項目４〜６を含むとすると、第３のメニューはメニュー項目７〜９を含み、第４のメニューはメニュー項目１０〜１２を含む。メニュー画面の全ページ数は、メニュー項目の数によって決まる。
【００６８】
変形例１は、上述した一実施の形態とは、図９のフローチャートを用いて説明したメニュー処理の処理内容が異なっている。図１０のフローチャートを用いて、変形例におけるメニュー処理の処理手順について説明する。なお、図９に示したメニュー処理と同じステップには、同一のステップ番号を付し説明を省く。以下では、図９との相違点を主に説明する。
【００６９】
ステップＳ303で、デジタルカメラ１の姿勢が傾斜位置から正位置へ変更されたと判定されると、ステップS４０１へ移る。ステップS４０１では、現在画面Aに表示されているメニュー画面の２ページ後のメニュー画面を画面Aに、現在画面Bに表示されているメニュー画面の２ページ後のメニュー画面を画面Bに表示するよう設定する。さらに、変更後の画面Aのメニューの１番目のメニュー項目に選択枠１００を表示するよう設定し、ステップS４０４へ移る。例えば現在画面Aに第１メニューが、画面Bに第２メニューが表示されている場合は、画面Aに第３メニュー、画面Bに第４メニューが表示されるように設定される。さらに、画面Aの第３のメニューの一番目のメニュー項目に選択枠１００が表示されるよう設定される。
【００７０】
ステップＳ３０３が否定判定されると、ステップＳ３０４へ進む。ステップＳ３０４で、デジタルカメラ１の姿勢が正位置から傾斜位置へ変更されたと判定されると、ステップS４０２へ移る。ステップS４０２では、選択枠１００を画面Bに表示されているメニュー画面の一番上のメニュー項目に表示するよう設定され、その後ステップS４０４へ移る。
【００７１】
ステップＳ３０４が否定判定されると、ステップＳ３０５へ進む。ステップＳ３０５で、十字キー１４が上または下方向に操作されたと判定されると、ステップS４０３へ移る。ステップS４０３では、十字キー１４が上方向に操作された場合は、選択枠１００を現在選択されているメニュー項目の一つ上のメニュー項目に付すよう設定する。十字キー１４が下方向に操作された場合は、選択枠１００を現在選択されているメニュー項目の一つ下のメニュー項目に表示するよう設定する。その後、ステップS４０４へ移る。
【００７２】
ステップS４０４では、ステップＳ４０１において画面Aおよび画面Bに表示するメニュー画面を変更するように設定した場合は、EEPROM２７より画面Aに表示するためのメニュー画面情報を読み出し、該メニュー画面情報から画面A用画像データを作成する。さらにEEPROM２７より画面Bに表示するためのメニュー画面情報を読み出し、該メニュー画面情報から画面B用画像データを作成する。作成された画面A用画像データおよび画面A用画像データはRAM２５の画面A用領域および画面B用領域にそれぞれ記憶される。なお、この際に選択枠１００はそれぞれステップS４０１〜S４０３で設定されたメニュー項目を囲むように画面A用画像、画面B用画像に合成される。
【００７３】
このように、ユーザーはデジタルカメラ１の姿勢を傾斜位置から正位置に移動させることにより、すばやくメニュー画面のページを送ることができる。
【００７４】
なお、画像表示モードにおいて、画面Aに１番目の画像を１コマ表示し、画面Bに２番目の画像を１コマ表示するように構成しても良い。さらに、表示画像(撮像済み画像)が３枚以上にある場合は、デジタルカメラ１を傾斜位置から正位置に戻した際に、画面Aおよび画面Bに表示する画像を送るとしても良い。この場合、上述のメニュー画面のページ送りと同様に、デジタルカメラ１の姿勢を傾斜位置から正位置に移動させることにより、現在画面Aに表示されている画像データより２コマ前に撮影された画像データを画面Aに、現在画面Bに表示されている画像データより２コマ前に撮影された画像データを画面Bに表示するよう設定する。
【００７５】
これにより、ユーザーはデジタルカメラ１の姿勢を傾斜位置から正位置に移動させることにより、すばやく表示画像を送ることができる。
【００７６】
以上によりユーザーは操作部材を操作することなく複数ページに及ぶデジタルカメラの情報、例えばメニュー項目や撮像済画像を素早く確認可能となる。
【００７７】
＜変形例２＞
画面Aに撮像済み画像を１コマ表示し、画面Bに該画面Aに表示する画像データに付属する画像情報を表示するとしても良い。
【００７８】
変形例２におけるデジタルカメラ１は、画像表示モードにおいて、表示モニタ１５を上方（矢印A方向）から見ると撮像済み画像の１コマ表示のみを観察でき、下方（矢印B方向）から見ると前記一コマ表示されている画像に、該画像に付随する画像情報が重畳された画像を観察できる。
【００７９】
ここで画像情報とは、上述の撮像情報等のファイルヘッダに記載されている情報や、画像のヒストグラム等の情報である。なお表示する画像情報としてはこれに限るものではなく、画像に付随又は関連する情報であれば良い。デジタルカメラ１を、上方（矢印A方向）から観察した場合の背面モニタ１５の画面Ａの表示例を図４（a）に、下方（矢印B）から観察した場合の背面モニタ１５の画面Ｂの表示例を図４（ｃ）に示す。画面Ａに１コマ表示される画像データを、選択画像とする。
【００８０】
十字キー１４が上方向に押圧操作されると、画面Aに現在表示されている画像データより１つ前に撮像された画像データが、１コマ表示用の選択画像に設定される。十字キー１４が下方向に押圧操作されると、画面Aに現在表示されている画像データより１つ後に撮像された画像データが、１コマ表示用の選択画像に設定される。
【００８１】
選択画像が変更されると再生画面更新処理が開始される。図１１のフローチャートを用いて、再生画面更新処理の処理手順について説明する。
【００８２】
画像表示モードにおいて、十字キー１４が上また下方向に押圧操作されて選択画像が変更されると、再生画面更新処理サブルーチンが開始される。まず、ステップS５０１で、画像処理部２２は、選択画像の画像データを外部メモリ２８又は内部メモリ２９より読み出す。ステップＳ５０２では、ステップＳ５０１で読み出した画像データより、背面モニタ１５の画面Ａに１コマ表示するための画面A用画像データを作成する。作成された画面A用画像データはRAM２５の画面A用領域に記憶される。
【００８３】
次にステップS５０３で、画像処理部２２は、RAM２５より画面A用画像データを読み出し、画面Ａ用画像データに、選択画像に付随する画像情報を重畳した画面B用画像データを作成する。作成された画面B用画像データはRAM２５の画面B用領域に記憶される。なお、ステップS５０３において画像情報のみを表示する画面B用画像データを作成しても良い。
【００８４】
ステップS５０４で、画像処理部２２は、RAM２５より画面A用画像データおよび画面B用画像データ読み出し、画面A用画像データと画面B用画像データとを合成した合成画像データを作成する。作成された合成画像データはRAM２５の表示画像領域に記憶される。ステップS５０５で、モニタ制御部２３は、RAM２５の表示画像領域から合成画像データを読み出し、背面モニタ１５に表示させる。したがって、背面モニタ１５には、画面A用画像データによる画面Aと画面B用画像データによる画面Bとが同時に表示される。
【００８５】
ステップＳ５０６で、画面Ａ，Ｂの表示画像が、十字キー１４の操作に応じて更新されたと判定されると、図１１に示す再生画面更新処理を終了する。一方、表示画像の更新が完了していない場合は、ステップＳ５０１へ戻る。
【００８６】
以上説明したように、ユーザーは、背面モニタ１５を上方(矢印Ａ方向)から観察することにより、撮像済み画像を１コマ表示で確認することができる。さらに、デジタルカメラ１を傾ける、もしくは、視点をずらして矢印Ｂ方向から観察することにより、瞬時に１コマ表示されている画像の画像情報を確認可能となる。
【００８７】
本発明は、上述した一実施の形態および変形例１，２に限定されるものではない。
【００８８】
以上説明した一実施の形態および変形例１，２においては、デジタルカメラ１の背面モニタ１５を上方向と下方向から見ることにより、それぞれ異なる画面を観察することができるように構成した。しかしこれには限定されず、背面モニタを右方向から見た場合と、左方向から見た場合とで、それぞれ異なる画面を観察できるように背面モニタを構成することも可能である。また、背面モニタを正面から見た場合と左右方向から見た場合、あるいは正面方向から見た場合と上下方向から見た場合とで、それぞれ異なる画面を観察できるように、背面モニタを構成してもよい。
【００８９】
また、以上では、画像処理部２２により画面A用画像データを作成し、その後に画面B用画像データを作成すると説明したが、本発明はこれに限定されるものではない。画像処理部を２つ設けて、画面A用画像データを第１画像処理部で、画面B用画像データを第２画像処理部で作成するとしても良い。これにより、画面A用画像データと画面Ｂ用画像データとを２つの画像処理部により並行して作成可能となり、表示更新速度が向上する。
【００９０】
なお、本発明をレンズ着脱式のデジタル一眼レフカメラや、デジタルビデオカメラ等の撮像装置や画像表示装置に適用してもよい。
【００９１】
以下、本発明の実施の形態のさらなる変形例について説明する。
【００９２】
＜変形例３＞
デジタルカメラ１が、電子ズーム可能である場合には、撮影モードの際に画面Aにスルー画像を表示させ、画面Bに電子ズームしたスルー画像を表示させても良い。図１２（a）に背面モニタ１５の画面Aの表示例を、図１２（ｂ）に画面Bの表示例を示す。
【００９３】
画像処理部２２は、撮像素子２１より取得した画像信号を基に画面A用画像データを作成し、RAM２５の画面A用領域に記憶する。次に画像処理部２２は、作成された画面A用画像データを、ズーム釦１１の操作により設定された電子ズーム倍率に応じてトリミングする。該トリミングされた画像データは画像処理部２２によりリサイズされ、画面B用画像データとしてRAM２５の画面B用領域に記憶される。画面A用画像データおよび画面B用画像データはモニタ制御部２３により処理され背面モニタ１５に表示される。
【００９４】
また、画面Aに現在の画角のスルー画像を表示させ、画面Bに光学ズームでの中間画角又は光学ズームでのテレ端に相当する画角に画面A用画像データをトリミングしてリサイズしたスルー画像を順次表示してもよい。なお、中間画角とは光学ズームワイド端の画角とテレ端の画角の中間の画角である。
【００９５】
画面Aには現在の光学ズームによる撮影画像（スルー画像）を表示し、画面Bには光学ズームテレ端の画角に相当するスルー画像を表示するよう設定されている場合について説明する。図１３（a）に背面モニタ１５に表示される画面Aの表示例を、図１３（ｂ）に画面Bの表示例を示す。なお図１３（a）に示された点線で囲まれた領域（トリミング領域２００）は、画面Bに表示される領域を示す。
【００９６】
画像処理部２２は、撮像素子２１より取得した画像信号を基に画面A用画像データを作成しRAM２５の画面A用領域に記憶する。制御部２０は、現在の光学ズームによる撮影画角を基に、トリミング後の画像が設定された画角（光学ズームテレ端の画角）の画像となるようトリミング領域２００を算出する。画像処理部２２は、RAM２５から画面A用画像データを読み出し、トリミング領域２００をトリミングする画像処理部２２は、該トリミングされたトリミング領域２００に対応する画像データを背面モニタ１５の表示用の大きさにリサイズし、RAM２５の画面B用領域に記憶する。画面A用画像データおよび画面B用画像データは、モニタ制御部２３により処理され背面モニタ１５に表示される。
【００９７】
なお、制御部２０は現在の光学ズームによる撮影画角が、画面Bに表示するスルー画像の画角以上の画角である場合は画面A用画像データのトリミング処理を行わない。この場合、画像処理部２２は画面A用の画像データを画面B用の画像データとしてRAM２５の画面B用領域に記憶する。
【００９８】
これにより、ユーザーは光学ズームを行わなくても適切なズームポジションが確認できる。
【００９９】
また、ファンクション釦１６に自動ズーム機能を割り当てても良い。この場合、制御部２０は、ユーザーによるファンクション釦１６の押圧操作を検出すると、レンズ制御部３３を制御して撮像光学系３２のズームレンズを駆動し、画面Bに表示されている画像に対して設定された画角まで光学ズームを行う。これにより、画面Ａには、画面Ｂに表示された画像の画角に一致する、光学ズームによる撮影画像が表示される。
【０１００】
＜変形例４＞
撮影モードの際に、画面Aにスルー画像とカメラ情報とを表示させ、画面Bにスルー画像と被写体画像情報とを表示しても良い。
【０１０１】
カメラ情報とは、動作モード、画像記録先設定、記録解像度設定値、フラッシュモード、記録可能枚数等のカメラの設定状態を示す情報である。被写体画像情報とは撮像した被写体画像データから、制御部２０や画像処理部２２により算出して得た情報である。例えば被写体画像情報とはヒストグラム情報や被写体認識情報等の情報である。
【０１０２】
以下では背面モニタ１５の画面Aにスルー画像とカメラ情報を表示させ、画面Bにスルー画像と被写体認識情報を表示させる場合について説明する。図１４（a）に、背面モニタ１５の画面Aの表示例を、図１４（ｂ）に画面Bの表示例を示す。図１４（ｂ）の顔認識マーク３００は、人物の顔の位置を示すマークである。
【０１０３】
画像処理部２２は、撮像素子２１より取得した画像信号を基に作成した画面A用画像データと、制御部２０から取得したカメラ情報とを重畳し、画面A用画像データを作成する。そして、作成した画面Ａ用画像データをRAM２５の画面A用領域に記憶する。さらに画像処理部２２は、画面A用画像データより周知の顔認識処理により、該画面A用画像データに人物の顔が存在するか否かを検出する。
【０１０４】
画像処理部２２は、該画面A用画像データにおいて人物の顔を検出できない場合は、画面A用画像データをRAM２５の画面B用領域に記憶する。人物の顔を検出できた場合は、画面A用画像データに対し、図１４（ｂ）に示すように、検出した顔の位置に顔認識マーク３００を重畳し、RAM２５の画面B用領域に記憶する。画面A用画像データおよび画面B用画像データは、モニタ制御部２３により処理され背面モニタ１５に表示される。なお、前記顔認識処理とは、人物の目、鼻、口や顔の輪郭およびその位置関係等を基に画像データに人物の顔がある否かを検出する、周知の顔認識技術である。
【０１０５】
これにより、２つの画面A、画面Bに情報を分散して表示可能となるため、表示が煩雑することなく多くの情報をユーザーが素早く確認可能となる。
【０１０６】
＜変形例５＞
撮影モードの際に、画面Aにスルー画像を表示し、画面Bにデジタルカメラ１の撮像設定変更後の様子を擬似的に示すスルー画像を表示してもよい。例えば、画面Aには現在設定されている露出補正値（たとえば補正値０）のスルー画像を表示し、画面Bには設定されている露出補正値から＋１段（又は−１段）補正した際の被写体像の様子を擬似的に示すスルー画像を表示する。この場合について、以下に説明する。
【０１０７】
図１５（a）に、背面モニタ１５の画面Aの表示例を、図１５（ｂ）に画面Bの表示例を示す。
【０１０８】
画像処理部２２は、撮像素子２１より取得した画像信号を基に画面A用画像データを作成し、作成した画面Ａ用画像データをRAM２５の画面A用領域に記憶する。さらに画像処理部２２は、該画面A用画像データ又は撮像素子２１より取得した画像信号より、予め設定されている補正段数分（例えば、＋１段分）だけ輝度値を上昇させて画面Ｂ用画像データを作成する。そして、作成した画面Ｂ用画像データを、RAM２５の画面B用領域に記憶する。画面A用画像データおよび画面B用画像データは、モニタ制御部２３により処理され背面モニタ１５に表示される。
【０１０９】
これにより、ユーザーは画面Ａに表示されたスルー画像を観察するとともに、画面Ｂに表示された異なる輝度値の画像を確認することができ、適切な露出量を確認できる。なお、画面Ｂ用画像データとして、露出設定値以外の撮像設定、例えばＩＳＯ感度設定等、を擬似的に変更して画像を生成してもよい。
【０１１０】
＜変形例6＞
撮影モードにて、異なるカメラ設定によって撮像した画像を、撮影直後に、それぞれ背面モニタ１５の画面Aおよび画面Bに表示するとしても良い。カメラ設定としては、露出補正設定やISO感度設定、画質調整設定等である。なお画質調整設定とは輪郭強調の強度や、コントラスト値、彩度、色相等の画像処理装置２２により画像データを作成する際の画質調整値の設定である。
【０１１１】
図１６に示すフローチャートに基づいて、露出補正無しの場合と、有りの場合で２回撮影する場合の、画像表示処理の処理手順について説明する。
【０１１２】
レリーズ釦10が全押し操作されると、ステップS６０１で、露出補正無しで撮像素子２１により１枚目の被写体像が撮像される。次にステップS６０２で、画像処理部２２により撮像素子２１から出力された画像信号を処理し、背面モニタ１５に表示するための画面A用画像データおよび外部メモリ２８へ記録するための画面A用記録画像データを作成する。ステップS６０３で、画面A用画像データおよび画面A用記録画像データはRAM２５の画面A用領域に記憶される。
【０１１３】
ステップS６０４で、再度レリーズ釦10が全押し操作されたか否かを判定する。レリーズ釦１０が全押し操作されていない場合はそのまま待機する。再度レリーズ釦１０が全押し操作されるとステップS６０５へ移る。なお、１度のレリーズ釦１０の全押し操作で自動的に連続して画像を撮影するとしても良い。この場合は、ステップS６０４の処理をとばせば良い。
【０１１４】
ステップＳ６０５では、２枚目の被写体像が撮像素子２１により撮像される。ステップS６０５での撮像処理では、１枚目の撮像画像に対して、設定された露出補正値を適用して撮像処理が行われる。例えば露出補正値が−１段に設定してある場合は、１枚目の撮像時に対して１段分シャッター速度を速める、もしくは１段分絞りを絞った状態で撮像される。
【０１１５】
ステップS６０６では、画像処理部２２により撮像素子２１から出力された画像信号を処理し、背面モニタ１５に表示するための画面B用画像データおよび外部メモリ２８に記憶するための画面B用記録画像データを作成する。ステップS６０７で、画面B用画像データおよび画面B用記記録画像データはRAM２５の画面B用領域に記憶される。ステップS６０８で、画像処理部２２は、RAM２５から画面A用画像データおよび画面B用画像データを読み出し、画面Ａ用画像データと画面Ｂ用画像データとを合成した合成画像を作成し、ＲＡＭ２５の表示画像領域に記憶する。ステップＳ６０９で、モニタ制御部２３は、ＲＡＭ２５の表示画像領域から合成画像データを読み出し、背面モニタ１５に表示する。
【０１１６】
ステップS６１０では十字キー１４が左方向へ操作されたか否かを判定する。十字キー１４が左方向に操作された場合は、ステップS６１１へ移行し、制御部２０はRAM２５に記憶されている画面A用記録画像データを外部メモリ２８に記憶し、この処理を終了する。十字キー１４が左方向に操作されていない場合は、ステップS６１２へ移る。ステップS６１２では十字キー１４が右方向へ操作されたか否かを判定する。十字キー１４が右方向に操作された場合は、ステップS６１３へ移行し、制御部２０はRAM２５に記憶されている画面B用記録画像データを外部メモリ２８に記憶し、この処理を終了する。十字キー１４が右方向に操作されていない場合は、ステップS６１０へ戻る。
【０１１７】
以上説明したように、露出補正無しと露出補正有りとの異なる設定で２枚の画像を撮影し、異なる設定で撮影された２枚の画像を、１つの背面モニタ１５に表示する。これにより、ユーザは、１つの背面モニタ１５、具体的には、背面モニタ１５の画面Ａ，Ｂに表示された、異なる設定の２つの画像を比較することができる。また、十字キー１４を左右に操作することにより所望の画像をメモリーカード２８に記録することができる。
【０１１８】
なお、ISO感度の設定を変更する場合は、図１６のステップS６０５の２度目の撮像処理で、１枚目の撮像画像に対してISO感度を変更して撮像すればよい。また、画質調整設定を変更する場合は、図１６のステップS６０５の２度目の撮像処理で、１枚目の撮像画像に対して画質調整設定を変更して撮像すればよい。
【０１１９】
なお、画質調整設定を変更する場合は、撮像処理は１回のみ行うとしても良い。この場合、図１６のフローチャートにおいてステップS６０４およびS６０５を省略する。さらにステップS６０６において、画像処理部２２が、ステップS６０２の画像処理で用いた画質調整設定値とは異なる画質調整設定により撮像素子２１からの画像信号を処理し、画面B用画像データおよび画面B用記録画像データを作成すればよい。
【０１２０】
また、デジタルカメラ１が防振装置を備える場合、上記変更する設定を防振装置のON／OFF設定としても良い。防振装置をONした場合の撮像画像を画面Aに表示し、防振装置をOFFした場合の撮像画像を画面Bに表示する。
【０１２１】
以上説明したように、さまざまな撮像設定条件を変更可能なデジタルカメラ１において、ユーザーは、異なる設定で撮像した複数の画像を撮像直後に確認したうえで、所望の画像を記録することができる。
【０１２２】
＜変形例7＞
画像表示モードにおいて、画面Aに撮像済み画像を１コマ表示し、画面Bに画面Aに表示している画像データの一部を拡大した拡大表示を行うとしても良い。図１７（a）に背面モニタ１５の画面Aの表示例を、図１７（ｂ）に画面Bの表示例を示す。
【０１２３】
背面モニタ１５の画面Ａに、外部メモリ２８に記憶されている画像データを１コマ表示している場合、ズーム釦１１が押圧操作されると、ズーム釦１１の操作に応じた電子ズーム倍率で、画面Bに拡大画像を表示する。図１７（a）に示した拡大枠４００で囲まれた領域は、画面Bに拡大して表示される拡大領域を示す。画面Ａにおける拡大枠４００の位置、すなわち拡大して表示する画像の位置は、ユーザによる十字キー１４等の操作により選択できる。
この場合の処理について、以下に説明する。
【０１２４】
画像表示モードにおいて、画像処理部２２は、外部メモリ２８に記憶されている画像データを読み出して画面A用画像データを作成し、該画面A用画像データをRAM２５の画面A用領域および画面B用領域に記憶する。この時点で画面Aおよび画面Bには同じ画像が表示される。次に、ユーザーによりズーム釦１１および十字キー１４が操作されて、ユーザが所望する領域の画像拡大が指示されると、画像処理部２２は、拡大枠４００で示される画面A用画像データの領域をトリミングする。トリミングされた拡大枠４００で囲まれた領域４００の画像データは、背面モニタ１５の大きさに合わせてリサイズされた後に、新たな画面B用画像データとしてRAM２５の画面B用領域に記憶される。画像処理部２２は、RAM２５より画面A用画像データおよび画面B用画像データを読み出して合成画像データを生成し、モニタ制御部２３は、合成処理済みの合成画像データを背面モニタ１５に表示させる。
【０１２５】
なお、画面Ｂに撮像済み画像の拡大画像を表示している場合に、レリーズ釦１０を押圧操作することにより、拡大枠４００で囲まれた領域をトリミングした画像データを、画面Ａに表示されている撮像済み画像とは別に、外部メモリ２８に記憶するとしても良い。この場合、拡大表示の際にレリーズ釦１０が押圧操作されると、画像処理部２２は、画面Ａに表示している画面Ａ用画像データの拡大枠４００で囲まれた領域をトリミングしたトリミング画像データを作成する。作成されたトリミング画像データは外部メモリ２８に記憶される。トリミング画像データを背面モニタ１５の大きさ合わせてリサイズした後に、外部メモリ２８に記憶してもよい。
【０１２６】
以上説明したように、撮像済み画像とその拡大画像をそれぞれ背面モニタ１５の画面Ａ，Ｂに表示するようにしたので、撮像済み画像の等倍表示と拡大表示とを瞬時に確認可能となる。また、画面Ａに拡大枠４００を表示することにより、どの領域をトリミングしようとしているかを瞬時に確認可能となる。
【０１２７】
＜変形例８＞
画像表示モードの際に、画面Aに画像処理前の画像データを表示させ、画面Bに画像処理後の画像データを表示するとしても良い。画像処理としては、画像データの暗部の諧調を主に補正する暗部諧調補正処理や、輪郭強調処理、色変換処理等のフィルター処理等で良い。
【０１２８】
画像データに暗部諧調補正処理を行う場合について説明する。図１８（a）に背面モニタ１５の画面Aの表示例を、図１８（ｂ）に画面Bの表示例を示す。
【０１２９】
背面モニタ１５の画面Ａに外部メモリ２８に記憶されている撮像済み画像の画像データを１コマ表示している際に、ファンクション釦１６が押圧操作されると、画面Bに暗部諧調補正処理を行った処理済みの画像データを表示する。図１８（a）に示した斜線領域は暗部諧調補正処理により諧調補正される暗部領域である。
【０１３０】
画像表示モードにおいて、まず制御部２０は外部メモリ２８に記憶されている撮像済み画像の画像データを読み出し、RAM２５に記憶させる。画像処理部２２は、RAM２５に記憶された画像データを処理して画面A用画像データを作成し、該画面A用画像データをRAM２５の画面A用領域および画面B用領域に記憶する。この時点で画面Aおよび画面Bには同じ画像が表示される。
【０１３１】
次にユーザーによりファンクション釦１６が押圧操作されると、画像処理部２２は、RAM２５に記憶されている前記画像データに暗部諧調補正処理を行った処理済み画像データを作成する。該処理済み画像データは、新たな画面B用画像データとしてRAM２５の画面B用領域に記憶される。画像処理部２２は、RAM２５より画面A用画像データおよび画面B用画像データを読み出して合成画像データを生成し、モニタ制御部２３は、処理済みの合成画像データを背面モニタ１５に表示させる。この状態で、さらにレリーズ釦１０が押圧操作されると制御部２０は、該処理済み画像データを外部メモリ２８に記憶する。
【０１３２】
以上説明したように、背面モニタ１５の画面Ａ，Ｂに、撮像済み画像と、その画像に所定の画像処理を施した処理済み画像をそれぞれ表示する。これによりユーザーは、画面Ａに表示されている撮像済み画像に対して画像処理を施す際に、処理前の画像と処理後の画像とを瞬時に比較確認可能となる。
【０１３３】
なお、変形例８で説明した画像処理は、変形例７で説明したトリミング処理も含むと理解してもよい。
【０１３４】
以上説明したように、本発明の一実施の形態および変形例１〜８におけるデジタルカメラにおいては、複数の情報を容易に確認することができる。
【図面の簡単な説明】
【０１３５】
【図１】デジタルカメラ１の斜視図
【図２】デジタルカメラ１のブロック図
【図３】背面モニタ１５のスルー画像表示の様子
【図４】背面モニタ１５の画像データ表示の様子
【図５】背面モニタ１５のメニュー画像表示の様子
【図６】デジタルカメラ１の斜視図
【図７】スルー画像処理のフロー
【図８】再生画面更新処理のフロー
【図９】メニュー処理のフロー
【図１０】変形例１におけるメニュー処理のフロー
【図１１】変形例２における画像表示処理のフロー
【図１２】変形例３における背面モニタの表示例
【図１３】変形例３における背面モニタの表示例
【図１４】変形例４における背面モニタの表示例
【図１５】変形例５における背面モニタの表示例
【図１６】変形例６における画像表示の処理のフロー
【図１７】変形例７における背面モニタの表示例
【図１８】変形例８における背面モニタの表示例
【符号の説明】
【０１３６】
１  デジタルカメラ
１０  レリーズ釦
１１  ズーム釦
１２  再生釦
１３  メニュー釦
１４  十字キー
１５  背面モニタ
２１  撮像素子
２２  画像処理部
２３  モニタ制御部
２４  表示部
２５  RAM
２６  ROM
２７  EEPROM
２８  外部メモリ
２９  内部メモリ
３０  操作部
３１  姿勢センサ
１００  選択枠
２００  トリミング領域
３００  顔認識マーク
４００  拡大枠
【図１】
2007295547.tif 000003
【図２】
2007295547.tif 000004
【図３】
2007295547.tif 000005
【図４】
2007295547.tif 000006
【図５】
2007295547.tif 000007
【図６】
2007295547.tif 000008
【図７】
2007295547.tif 000009
【図８】
2007295547.tif 000010
【図９】
2007295547.tif 000011
【図１０】
2007295547.tif 000012
【図１１】
2007295547.tif 000013
【図１２】
2007295547.tif 000014
【図１３】
2007295547.tif 000015
【図１４】
2007295547.tif 000016
【図１５】
2007295547.tif 000017
【図１６】
2007295547.tif 000018
【図１７】
2007295547.tif 000019
【図１８】
2007295547.tif 000020